(57)【特許請求の範囲】
【請求項１】
媒体によって露出した数字列をコンテンツのアクセス情報として用いて、スマート端末にコンテンツの情報流通サービスを提供する情報流通システムであって、
各々のコンテンツテーマを識別するテーマ数字列の登録を受けるテーマ数字列登録部と、
前記テーマ数字列、前記テーマ数字列に組み合わせてコンテンツを識別するコンテンツ数字列及び前記コンテンツ数字列によって識別されたコンテンツの登録を受けるコンテンツ登録部と、
登録された数字列が前記媒体によって露出した後、前記スマート端末から露出した数字列を含む前記コンテンツの検索要請を受信し、受信された数字列をアクセスキーとしてコンテンツを検索し、検索されたコンテンツの情報を前記スマート端末に伝送することで前記情報流通サービスの提供を管理する情報流通管理部と、
を含む情報流通サーバを含むことを特徴とする情報流通システム。
【請求項２】
前記テーマ数字列登録部は、
前記テーマ数字列についてテーマを説明する説明情報をさらに登録を受け、前記テーマ数字列に登録された説明情報を関連付けて数字列ＤＢに保存することを特徴とする請求項１に記載の情報流通システム。
【請求項３】
前記コンテンツ登録部は、
前記コンテンツ数字列を含み、コンテンツの地域、キーワード、タイトル、内容、使用者の連絡住所のうち少なくとも一つ以上をさらに含むコンテンツ情報の登録要請を受信し、前記テーマ数字列に関連付けて受信されたコンテンツ情報をコンテンツＤＢに保存することを特徴とする請求項１に記載の情報流通システム。
【請求項４】
前記コンテンツ登録部は、
電話番号、電子メールアドレス、インターネットアドレス及びＳＮＳアドレスのうち少なくとも一つ以上を前記連絡住所として登録を受け、前記コンテンツＤＢに保存することを特徴とする請求項３に記載の情報流通システム。
【請求項５】
前記コンテンツ登録部は、
使用者の複数個の電話番号の登録を受け、各々の電話番号に対して通話連結順位の登録を受けることで、第１順位の電話番号の通話連結が失敗すれば、第２順位の電話番号に自動通話連結することを特徴とする請求項４に記載の情報流通システム。
【請求項６】
前記情報流通管理部は、前記スマート端末から、
前記テーマ数字列の伝送を受けて検索要請を受け、要請されたテーマ数字列に関連付けられる少なくとも一つ以上のコンテンツをコンテンツＤＢから検索し、検索されたコンテンツのリストを検索結果として提供する機能と、
前記コンテンツ数字列の伝送を受けて検索要請を受け、要請されたコンテンツ数字列によって識別される前記コンテンツを前記コンテンツＤＢから検索して検索結果として提供する機能と、
前記テーマ数字列を含み、キーワード及び地域のうち少なくとも一つ以上をさらに含む検索要請を受け、検索が要請された情報に関連付けられる少なくとも一つ以上のコンテンツを前記コンテンツＤＢから検索し、検索されたコンテンツのリストを検索結果として提供する機能のうち、少なくとも一つ以上の機能を処理することを特徴とする請求項１に記載の情報流通システム。
【請求項７】
前記情報流通管理部は、
前記スマート端末からリアルタイムで登録された前記コンテンツの照会要請を受け、対応するコンテンツをコンテンツＤＢから照会し、照会されたコンテンツのリストを検索結果として提供することを特徴とする請求項１に記載の情報流通システム。
【請求項８】
前記情報流通管理部は、
前記スマート端末から個別コンテンツの照会要請を受ければ、前記コンテンツについて登録されたコンテンツ数字列を含み、地域、キーワード、タイトル、内容及び使用者の連絡住所のうち少なくとも一つ以上をさらに含むコンテンツ情報をコンテンツＤＢから照会して提供することを特徴とする請求項１に記載の情報流通システム。
【請求項９】
前記コンテンツの情報を照会した前記スマート端末から前記コンテンツの連絡住所の選択を受けて接続要請を受け、前記連絡住所への通信接続を仲介し、接続仲介費用を課金する接続仲介課金部をさらに含むことを特徴とする請求項１に記載の情報流通システム。
【請求項１０】
前記コンテンツ登録部は、
前記コンテンツに関わり、前記コンテンツの表示情報中に挿入されてリンク情報が表示され、リンク情報の選択によってリンクされる他のコンテンツを、リレーコンテンツとしてさらに登録を受けることを特徴とする請求項１に記載の情報流通システム。
【請求項１１】
前記スマート端末の接続要請によって連絡住所への通信接続が仲介された前記コンテンツが、前記リンク情報の選択によってリンクされた前記リレーコンテンツであれば、前記リレーコンテンツを登録した上位コンテンツの使用者に所定の費用を補償する接続仲介補償部をさらに含むことを特徴とする請求項１０に記載の情報流通システム。
【請求項１２】
使用者の数字列検索及び数字列入力が提供される数字列窓と、
コンテンツ地域の選択を受ける地域窓と、
コンテンツキーワードの入力を受けるキーワード窓と、
を含む画面構成を用いて前記数字列窓に入力された数字列を含むコンテンツの検索要請を前記情報流通サーバに伝送し、前記情報流通サーバから検索結果を受けて画面出力するアプリケーションを実行するスマート端末をさらに含むことを特徴とする請求項１に記載の情報流通システム。
【請求項１３】
ＴＶ機能を保有するスマート端末に、ＴＶによって露出した数字列をコンテンツのアクセス情報として用いて前記コンテンツの情報流通サービスを提供する情報流通システムであって、
各々のコンテンツテーマを識別するテーマ数字列の登録を受けるテーマ数字列登録部と、
前記テーマ数字列、前記テーマ数字列に組み合わせてコンテンツを識別するコンテンツ数字列、及び前記コンテンツ数字列によって識別されたコンテンツの登録を受けるコンテンツ登録部と、
登録を受けた数字列が前記ＴＶによって露出した後、前記スマート端末から露出した数字列を含む前記コンテンツの検索要請を受信し、受信された数字列をアクセスキーとしてコンテンツを検索し、検索されたコンテンツの情報を前記スマート端末に伝送することで前記情報流通サービスの提供を管理する情報流通管理部と、
を含む情報流通サーバを含むことを特徴とする情報流通システム。
【請求項１４】
ＴＶ放送プログラムがリアルタイムで出力されるＴＶ領域と、
使用者によって指定されたコンテンツ及び前記プログラムに関わるコンテンツの数字列が出力される数字列領域と、
広告コンテンツの数字列が出力される広告数字列領域と、
コンテンツ地域の選択を受ける地域窓と、
コンテンツキーワードの入力を受けるキーワード窓と、
前記数字列領域または前記広告数字列領域から選択された数字列、前記地域窓から選択された地域、及び前記キーワード窓から選択されたキーワードの組合せに関連付けられるコンテンツのリストが前記情報流通サーバから受信されて出力され、出力されたリストからいずれか一つのコンテンツが選択されれば、選択されたコンテンツの提供が前記情報流通サーバに要請されるコンテンツ領域と、
前記情報流通サーバから受信された数字列の動画像広告の情報が出力され、使用者の選択によって前記情報流通サーバに動画像広告の再生が要請される数字列広告領域と、
を含む画面構成を用いて前記情報流通サービスを提供し、コンテンツ領域または数字列広告領域から選択されたコンテンツを情報流通サーバから提供を受けて画面出力するアプリケーションを実行するスマート端末をさらに含むことを特徴とする請求項１３に記載の情報流通システム。
【請求項１５】
前記コンテンツ登録部は、使用者のスマートフォンから数字列及び前記数字列に関連付けられたコンテンツの登録を受け、
前記情報流通管理部は、前記スマート端末の要請によって登録されたコンテンツをリアルタイムで提供することを特徴とする請求項１４に記載の情報流通システム。
【請求項１６】
情報流通サーバが媒体によって露出した数字列をコンテンツのアクセス情報として用いてスマート端末に前記コンテンツの情報流通サービスを提供する情報流通方法であって、
（ａ）各々のコンテンツテーマを識別するテーマ数字列の登録を受けるテーマ数字列登録段階と、
（ｂ）前記テーマ数字列、前記テーマ数字列に組み合わせてコンテンツを識別するコンテンツ数字列、及び前記コンテンツ数字列によって識別されたコンテンツの登録を受けるコンテンツ登録段階と、
（ｃ）登録された数字列が前記媒体によって露出した後、前記スマート端末から露出した数字列を含む前記コンテンツの検索要請を受信し、受信された数字列に関連付けられたコンテンツをＤＢから照会し、照会されたコンテンツを前記スマート端末に伝送することで前記情報流通サービスの提供を管理する情報流通管理段階と、
を含むことを特徴とする情報流通方法。
【請求項１７】
前記段階（ａ）は、
前記テーマ数字列についてテーマを説明する説明情報をさらに登録を受け、前記テーマ数字列に登録された説明情報を関連付けて前記ＤＢに保存する段階であることを特徴とする請求項１６に記載の情報流通方法。
【請求項１８】
前記段階（ｂ）は、
前記コンテンツ数字列を含み、コンテンツの地域、キーワード、タイトル、内容、使用者の連絡住所のうち少なくとも一つ以上をさらに含むコンテンツ情報の登録要請を受信し、前記テーマ数字列に関連付けて受信されたコンテンツ情報をＤＢに保存する段階であることを特徴とする請求項１６に記載の情報流通方法。
【請求項１９】
前記段階（ｂ）は、
電話番号、電子メールアドレス、インターネットアドレス及びＳＮＳアドレスのうち少なくとも一つ以上を前記連絡住所として登録を受ける段階であることを特徴とする請求項１８に記載の情報流通方法。
【請求項２０】
前記段階（ｂ）は、
使用者の複数個の電話番号の登録を受け、各々の電話番号に対して通話連結順位の登録を受ける段階であって、
第１順位の電話番号の通話連結が失敗すれば、第２順位の電話番号に自動通話連結される段階であることを特徴とする請求項１９に記載の情報流通方法。
【請求項２１】
前記段階（ｃ）は、前記スマート端末から、
前記テーマ数字列の伝送を受けて検索要請を受け、要請されたテーマ数字列に関連付けられる少なくとも一つ以上のコンテンツを検索し、検索されたコンテンツのリストを検索結果として提供する段階と、
前記コンテンツ数字列の伝送を受けて検索要請を受け、要請されたコンテンツ数字列によって識別される前記コンテンツを検索して検索結果として提供する段階と、
前記テーマ数字列を含み、キーワード及び地域のうち少なくとも一つ以上をさらに含む検索要請を受け、検索が要請された情報に関連付けられる少なくとも一つ以上のコンテンツを検索し、検索されたコンテンツのリストを検索結果として提供する段階と、
のうち少なくとも一つ以上の段階を含むことを特徴とする請求項１８に記載の情報流通方法。
【請求項２２】
前記段階（ｃ）は、
前記スマート端末からリアルタイムで登録された前記コンテンツの照会要請を受け、対応するコンテンツを照会し、照会されたコンテンツのリストを検索結果として提供する段階であることを特徴とする請求項１６に記載の情報流通方法。
【請求項２３】
前記段階（ｃ）は、
個別コンテンツの照会要請を受ければ、前記コンテンツについて登録されたコンテンツ数字列を含み、地域、キーワード、タイトル、内容及び使用者の連絡住所のうち少なくとも一つ以上をさらに含むコンテンツ情報を提供する段階であることを特徴とする請求項１６に記載の情報流通方法。
【請求項２４】
前記段階（ｃ）の後に、
前記コンテンツの情報を照会した前記スマート端末から前記コンテンツの連絡住所の選択を受けて接続要請を受け、前記連絡住所への通信接続を仲介し、接続仲介費用を課金する接続仲介課金段階をさらに含むことを特徴とする請求項１６に記載の情報流通方法。
【請求項２５】
前記段階（ｂ）は、
前記コンテンツに関わり、前記コンテンツの表示情報中に挿入されてリンク情報が表示され、リンク情報の選択によってリンクされる他のコンテンツをリレーコンテンツとしてさらに登録を受ける段階であることを特徴とする請求項１６に記載の情報流通方法。
【請求項２６】
前記段階（ｃ）の後に、
前記スマート端末の接続要請によって連絡住所への通信接続が仲介された前記コンテンツが、前記リンク情報の選択によってリンクされた前記リレーコンテンツであれば、前記リレーコンテンツを登録した上位コンテンツの使用者に所定の費用を補償する接続仲介補償段階をさらに含むことを特徴とする請求項２５に記載の情報流通方法。
【発明の詳細な説明】
【技術分野】
【０００１】
本発明は、情報流通技術に関し、より詳しくは、スマート端末の使用者を対象にして数字列及び数字列に係わる情報を提供し、数字列に基づいて情報の各種処理を管理する各種コンテンツの流通サービスを提供する情報流通システム及び情報流通方法に関する。
【０００２】
本出願は、２０１５年１１月１１日出願の米国特許出願第６２／２５３，９４０号及び２０１６年１０月１９日出願の米国特許出願第１５／２９８，０６１号に基づく優先権を主張し、該当出願の明細書及び図面に開示された内容は、すべて本出願に援用される。
【背景技術】
【０００３】
最近、誰もが情報の生産者でありながら消費者となるビッグデータの情報化時代で情報はあふれている。情報の洪水中で個別情報はその価値も重要であるが、情報の広報、接近、利用及び分配などにかける総括的な流通も重要である。即ち、良い情報を生産することと同様に情報の流通を効率的に適時かつ正確にリアルタイムで管理することが重要となる。
【０００４】
一例で、情報を検索する過程を例示する。使用者が検索窓に「今日一日５０％割引する市役所周辺のレストラン」を入力すると仮定する。検索窓に自然語の検索語を入力することは、使用者がキーワードを選択するために苦心しなくてもよいという長所がある。その代りに、検索エンジンは、自然語の分析及び検索によって少なくとも一つのキーワードを選定し、選定されたキーワードで複合的な検索を行わなければならない。この際、複数のキーワードが選定される場合、検索エンジンは、どのキーワードが主要キーワードであるかが分からないため、各々のキーワードの組合せで検索を行い、検索結果を生成する。使用者が、生成した検索結果の提供を受け、その検索結果が検索の目的に沿わなければ、検索結果に満足しないことがある。そうすれば、前記長所は、使用者が他の自然語を入力するか、または重要なキーワードを選別し入力して検索を繰り返さなければならないという短所を伴う。即ち、自然語検索は、前記長所にもかかわらず短所を伴う両面性を有する。
【０００５】
ここで、「今日一日５０％割引」という情報が、アクセス住所及びキーとなる別途の数字列として存在すると仮定すれば、使用者は、該当の数字列を用いて地域を「市役所」、詳細内容として「美味しい店」、「レストラン」などで検索する場合、自然語検索よりも容易であり、便利かつ迅速に正確にマッチする情報に接近することができる。また、客体を特定して区別できる一種のアクセスキーとなるコンテンツ提供者の数字列が存在すれば、数字列に基づいて情報が登録され、数字列によって対応する情報が容易かつ迅速に接近可能となる。このような数字列基盤の情報接近方式は、適時性及び正確性が向上した情報流通技術といえる。
【０００６】
また、数字列は、翻訳が不要であるため、数字例に係わるコンテンツは国境を越える世界的な流通に何の問題がない。情報の接近方式のうち検索処理が数字列体系に基づいて処理されれば、これに類似に情報接近方式の登録処理も数字列体系に基づいて処理できる。そうすれば、全世界の使用者は、時間、場所及び言語の制約なく数字列を用いて適時に正確に分類されたマッチング情報の登録及び接近が可能となる。また、新聞、放送などの既存媒体を用いた広報や情報の伝達時に該当の数字列を露出させ、露出した数字列がアクセス情報になれば、スマート端末を用いてリアルタイムで登録及び変更したアップデートされた関連情報を媒体と通信結合によってリアルタイムで提供することが可能となる。
【発明の概要】
【発明が解決しようとする課題】
【０００７】
本発明は、前記のような従来技術の認識下で創出されたものであって、情報を数字列に基づき、リアルタイムで登録、検索、照会及び通信する情報流通処理を数字列と情報とのマッチング関係による適時性と正確性、マッチング性（ミスマッチングを補う）で支援する情報流通システム及び情報流通方法を提供することを目的とする。
【０００８】
本発明は、前記数字列基盤の情報流通処理の伝達方式による通話、文字、ＳＮＳ、電子メールなどが、必要に応じて受信者の状況に合わせて順次選択されるように統合的に結合することことで、使用者の情報疎通を円滑に支援できるようにすることを他の目的とする。
【０００９】
本発明は、前記数字列基盤の情報疎通を伴う情報流通サービスを使用者に提供し、サービスを用いた使用者に課金し、各々の第１コンテンツが第１コンテンツにリレーされた複数の第２コンテンツを相互有機的に流通する役割を可能にし、第２コンテンツの流通を起した第１コンテンツの使用者に補償することを他の目的とする。
【００１０】
また、前記数字列基盤の情報疎通を伴う情報流通サービスを、新聞、放送などの既存媒体のアドバタイザーや情報伝達者などに提供する場合、媒体が有する紙面や時間の制約による情報提供の量的および質的限界が発生するが、限界の発生に対して媒体との通信によって数字列が露出した後、露出した数字列に基づいてスマート端末へ情報のリアルタイム登録及び照会サービスを提供するをさらに他の目的とする。
【課題を解決するための手段】
【００１１】
上記の課題を達成するため、本発明によるスマート端末を用いる数字列基盤のリアルタイム情報流通システムは、数字列のテーマ数字列及びコンテンツ数字列をコンテンツのアクセス情報として用いて、コンテンツの情報流通サービスをスマート端末に提供する情報流通システムであって、コンテンツのテーマ別にテーマ数字列の登録要請を受信し、受信されたテーマ数字列を数字列ＤＢに保存して登録するテーマ数字列登録部と、前記テーマ数字列及び前記テーマ数字列にマッチされる少なくとも一つ以上のコンテンツの登録要請を受信し、受信されたテーマ数字列及びコンテンツをマッチしてコンテンツＤＢに保存するコンテンツ登録部と、前記スマート端末から前記テーマ数字列を含む前記コンテンツの提供要請を受信し、受信されたテーマ数字列にマッチされたコンテンツを前記コンテンツＤＢから照会し、照会されたコンテンツを前記スマート端末に伝送して前記情報流通サービスの提供を管理する情報流通管理部と、を含む情報流通サーバを含む。
【００１２】
ここで、前記テーマ数字列登録部は、前記テーマ数字列についてテーマを説明する説明情報をさらに登録を受け、前記説明情報を前記数字列ＤＢに保存する。
【００１３】
本発明の一面によれば、前記コンテンツ登録部は、前記コンテンツ数字列を含み、コンテンツの地域、キーワード、タイトル、内容、使用者の連絡住所のうち少なくとも一つ以上をさらに含むコンテンツの登録要請を受信し、受信されたコンテンツをコンテンツＤＢに保存する。
【００１４】
ここで、前記コンテンツ登録部は、電話番号、電子メールアドレス、インターネットアドレス及びＳＮＳ（Ｓｏｃｉａｌ  Ｎｅｔｗｏｒｋ  Ｓｅｒｖｉｃｅ）アドレスのうち少なくとも一つ以上を前記連絡住所として登録を受け、前記コンテンツＤＢに保存する。
また、前記コンテンツ登録部は、使用者の複数個の電話番号の登録を受け、各々の電話番号に対して通話連結順位の登録を受けることで、第１順位の電話番号の通話連結が失敗すれば、第２順位の電話番号に自動通話連結する。
【００１５】
さらに、前記コンテンツ登録部は、コンテンツを登録した使用者が現在即時疏通可能な連絡住所をさらに含む前記コンテンツの登録を受けることで、即時疎通の連絡住所によって使用者の即時疎通が提供される。
【００１６】
望ましくは、前記情報流通サーバは、位置識別機能を有する前記スマート端末から位置情報を受信し、前記コンテンツに含まれた地図によって受信された位置情報及び使用者の事業場の位置情報を提供する使用者位置管理部をさらに含む。
【００１７】
本発明の他面によれば、前記情報流通管理部は、前記スマート端末から、前記テーマ数字列の伝送を受けて検索要請を受け、要請されたテーマ数字列にマッチされる少なくとも一つ以上のコンテンツを前記コンテンツＤＢから検索し、検索されたコンテンツのリストを検索結果として提供する機能と、前記コンテンツ数字列の伝送を受けて検索要請を受け、要請されたコンテンツ数字列によって識別される前記コンテンツを前記コンテンツＤＢから検索して検索結果として提供する機能と、前記テーマ数字列を含み、キーワード及び地域のうち少なくとも一つ以上をさらに含む検索要請を受け、検索が要請された情報にマッチされる少なくとも一つ以上のコンテンツを前記コンテンツＤＢから検索し、検索されたコンテンツのリストを検索結果として提供する機能のうち、少なくとも一つ以上の機能を処理する。
【００１８】
ここで、前記情報流通管理部は、前記スマート端末からリアルタイムで登録された前記コンテンツの照会要請を受け、対応するコンテンツを前記コンテンツＤＢから照会し、照会されたコンテンツのリストを検索結果として提供する。
【００１９】
また、前記情報流通管理部は、前記スマート端末から個別コンテンツの照会要請を受ければ、前記コンテンツについて登録されたコンテンツ数字列を含み、地域、キーワード、タイトル、内容及び使用者の連絡住所のうち少なくとも一つ以上をさらに含むコンテンツ情報を前記コンテンツＤＢから検索して提供する。
【００２０】
望ましくは、前記情報流通サーバは、前記コンテンツの情報を照会した前記スマート端末から前記コンテンツの連絡住所の選択を受けて接続要請を受け、前記連絡住所への通信接続を仲介し、接続仲介費用を課金する接続仲介課金部をさらに含む。
【００２１】
また、前記情報流通サーバは、前記コンテンツに関わり、前記コンテンツの表示情報中に挿入されてリンク情報が表示され、リンク情報の選択によってリンクされる他のコンテンツをリレー（ｒｅｌａｙ）コンテンツとしてさらに含む。
【００２２】
ここで、前記情報流通サーバは、前記スマート端末の接続要請によって連絡住所への通信接続が仲介された前記コンテンツが、前記リンク情報の選択によってリンクされた前記リレーコンテンツであれば、前記リレーコンテンツを登録した上位コンテンツの使用者に所定の費用を補償する接続仲介補償部をさらに含む。
【００２３】
本発明のさらなる他面によれば、前記情報流通システムは、使用者の数字列検索及び数字列入力が提供される数字列窓と、コンテンツ地域の選択を受ける地域窓と、コンテンツキーワードの入力を受けるキーワード窓と、を含む画面構成を用いて前記数字列窓に入力された数字列を含むコンテンツの検索要請を前記情報流通サーバに伝送し、前記情報流通サーバから検索結果を受けて画面出力するアプリケーションを実行するスマート端末をさらに含む。
【００２４】
本発明の他の実施例による情報流通システムは、数字列をコンテンツのアクセス情報として用いて前記コンテンツの情報流通サービスをＴＶ機能を保有するスマート端末に提供する情報流通システムであって、コンテンツのテーマ別にテーマ数字列の登録要請を受信し、受信されたテーマ数字列を数字列ＤＢに保存して登録するテーマ数字列登録部と、前記テーマ数字列及びテーマ数字列にマッチされる前記コンテンツの登録要請を受信し、受信されたテーマ数字列及びコンテンツをマッチしてコンテンツＤＢに保存するコンテンツ登録部と、前記スマート端末から前記テーマ数字列を含む前記コンテンツの提供要請を受信し、伝送されたテーマ数字列にマッチされたコンテンツの情報を前記コンテンツＤＢから照会し、照会されたコンテンツの情報を用いてコンテンツのリストを生成し、生成したコンテンツのリストを前記スマート端末に伝送し、コンテンツのリストから選択されたコンテンツの提供要請を受信し、要請されたコンテンツを前記スマート端末に伝送してコンテンツの再生を含めた前記情報流通サービスの提供を管理する情報流通管理部と、を含む情報流通サーバを含む。
【００２５】
ここで、前記情報流通システムは、ＴＶ放送プログラムがリアルタイムで出力されるＴＶ領域と、使用者によって指定されたコンテンツ及び前記プログラムに関わるコンテンツの数字列が出力される数字列領域と、広告コンテンツの数字列が出力される広告数字列領域と、コンテンツ地域の選択を受ける地域窓と、コンテンツキーワードの入力を受けるキーワード窓と、前記数字列領域または前記広告数字列領域から選択された数字列、前記地域窓から選択された地域、及び前記キーワード窓から選択されたキーワードの組合せにマッチされるコンテンツのリストが前記情報流通サーバから受信されて出力され、出力されたリストからいずれか一つのコンテンツが選択されれば、選択されたコンテンツの提供が前記情報流通サーバに要請されるコンテンツ領域と、前記情報流通サーバから受信された数字列の動画像広告の情報が出力され、使用者の選択によって前記情報流通サーバに動画像広告の再生が要請される数字列広告領域と、を含む画面構成を用いて前記情報流通サービスを提供し、コンテンツ領域または数字列広告領域から選択されたコンテンツを情報流通サーバから提供を受けて画面出力するアプリケーションを実行するスマート端末をさらに含む。
【００２６】
また、前記コンテンツ登録部は、使用者のスマートフォンから数字列及び前記数字列にマッチされたコンテンツの登録を受け、前記情報流通管理部は、前記スマート端末の要請によって登録されたコンテンツをリアルタイムで提供する。
【００２７】
前記技術的課題を達成するための本発明による情報流通方法は、情報流通サーバがスマート端末に前記コンテンツの情報流通サービスを提供する情報流通方法であって、（ａ）コンテンツテーマ別にテーマ数字列の登録要請を受信し、受信されたテーマ数字列をＤＢに保存して登録するテーマ数字列登録段階と、（ｂ）前記テーマ数字列、前記テーマ数字列にマッチされる少なくとも一つ以上のコンテンツの登録要請を受信し、受信されたテーマ数字列及びコンテンツをＤＢに保存する情報登録段階と、（ｃ）前記スマート端末から前記テーマ数字列を含む前記コンテンツの提供要請を受信し、受信されたテーマ数字列にマッチされたコンテンツをＤＢから照会し、照会されたコンテンツを前記スマート端末に伝送して前記情報流通サービスの提供を管理する情報流通段階と、を含む。
【発明の効果】
【００２８】
本発明の一面によれば、数字列に基づいた情報流通サービスを提供し、少なくとも一つ以上のキーワードの組合せによって形成される固有なテーマを一つの数字列として定義することができ、使用者は、定義された数字列を用いて数字列及びその意味にマッチされた多様な情報の接近及び管理を行うことができる効果がある。
【００２９】
本発明の他面によれば、多様な連絡チャンネル及び通信方式によって使用者間の連絡を仲介して即時に使用者間の情報疎通を可能にし、これによって付加価値の向上に寄与する。
【００３０】
また、適時性と成功率の高い使用者間の情報疎通は、サービスを用いた使用者を相手に適正な課金及び補償サービスを提供して情報の伝達経路を拡大し、数字列基盤の情報を登録した登録者が相互有機的に協力して競争するようにして情報の関連性をさらに密接にする。
【００３１】
また、本発明のさらなる他面によれば、新聞、放送などを用いていた既存媒体のアドバタイザーや情報伝達者などを相手に、媒体が有する紙面や時間の制約による情報提供の量的および質的限界を除去するために、媒体などにテーマ数字列またはコンテンツ数字列を露出させれば、スマート端末を用いて露出した数字列に基づいて情報をリアルタイムで提供することで、広報及び情報伝達効果を適時に極大化させる。
【図面の簡単な説明】
【００３２】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図１】本発明の一実施例による情報流通システムを概略的に示した構成図である。
【図２】図１の情報流通サーバを概略的に示した内部構造図である。
【図３】図１の情報流通サーバが管理するテーマ数字列を概略的に示した例示図である。
【図４】図１のアプリケーションが表示するコンテンツ検索画面を概略的に示した例示図である。
【図５】図１のアプリケーションが表示するコンテンツ検索画面を概略的に示した例示図である。
【図６】図１のアプリケーションが表示するコンテンツ検索画面を概略的に示した例示図である。
【図７】図１のアプリケーションが表示するコンテンツ検索画面を概略的に示した例示図である。
【図８】図１のアプリケーションが表示するコンテンツ登録画面を概略的に示した例示図である。
【図９】図１のアプリケーションが表示するコンテンツ登録画面を概略的に示した例示図である。
【図１０】図１のアプリケーションが表示するコンテンツ登録画面を概略的に示した例示図である。
【図１１】図１のアプリケーションが表示するコンテンツ登録画面を概略的に示した例示図である。
【図１２】図１のアプリケーションが表示するコンテンツ登録画面を概略的に示した例示図である。
【図１３】図１のアプリケーションが表示するコンテンツ登録画面を概略的に示した例示図である。
【図１４】本発明の他の実施例によるＩＰ  ＴＶ画面の例示図である。
【図１５】本発明の一実施例による情報流通方法を概略的に示したフローチャートである。
【発明を実施するための形態】
【００３３】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００３４】
したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００３５】
＜１．システム構成＞
図１は、本発明の一実施例による情報流通システム１を概略的に示した構成図である。
【００３６】
本発明の実施例による情報流通システム１は、有線・無線ネットワークを基盤にして構築され、スマート端末３を対象にして情報流通サービスを提供する情報流通サーバ２と、前記情報流通サービスの提供を受けるスマート端末３と、を含んで構成される。
【００３７】
本発明における前記有線・無線ネットワークは、代表的に、移動通信網、インターネットのような有線・無線公衆網や専用網などのように多様なプロトコールを用いてインターネットデータ通信が可能な全ての通信網を包括する。
【００３８】
本発明における前記情報流通サービスとは、情報の登録、照会、修正及び削除などを伴う情報管理及び情報処理を統合するサービスをいう。前記情報流通サービスを用いる使用者の立場では、使用者が情報消費者及び情報提供者となり得る。使用者間における情報通信によって、交換、共有、生産、消費などが発生する一連の情報流通サービスは、情報疎通サービスに該当する。
【００３９】
前記情報流通サーバ２は、スマート端末３を対象にして情報を数字列（ｄｉｇｉｔ  ｓｔｒｉｎｇ）に基づいて登録を受けて提供する前記情報流通サービスを提供する。数字列は、複数の数字から構成されたシリアルナンバーである。数字列は、翻訳が不要であり、単一の意味を代表するという長所がある。従来の数字列は、使用者の介入を排除してデータの保存及び処理などのために用いられることに対し、本発明の数字列は、コンテンツの情報を分類及び識別するために使用者によって生成され、使用者の介入によってコンテンツの情報を検索してアクセスするアクセス情報として活用される。
【００４０】
ここで、前記数字列とは、数字列にマッチされた情報を代表する主題及び内容を識別する識別情報でありながら、その情報にアクセスするアクセス情報である。数字列「５０５０」の場合、使用者は、数字列「５０５０」の識別性によって数字列にマッチされた単語（例：「５０％割引」）または文章（例：「今日一日５０％割引をする市役所周辺のおいしい店」）の内容と意味を識別する。また、使用者は、数字列の接近性によって数字列を、アクセス住所、アクセスチャンネル及びアクセスキーなどのアクセス情報として用いてマッチされた情報の提供を受ける。
【００４１】
前記数字列は、テーマ数字例及びコンテンツ数字列から構成できる。前記テーマ数字列は、複数の情報を代表するテーマ、カテゴリーの数字列である。テーマ数字列は、情報の分類や目的を特定するためのものであって、テーマ数字列が親ノードになり、複数の子ノードとなる各々の下位数字列及びコンテンツとマッチされ得る。ここで、下位数字列は、テーマ数字列及びコンテンツ数字列を含む。即ち、親ノードのテーマ数字列は、子ノードとしてのテーマ数字列、コンテンツ数字列及びコンテンツのうち少なくとも一つ以上とマッチングされ得る。
【００４２】
前記コンテンツ数字列は、使用者が情報の配布、広告、共有などを目的にして登録するコンテンツの識別情報である。コンテンツは、少なくとも一つ以上の情報から構成された情報のアクセス客体をいう。コンテンツ数字列とコンテンツとは、１：１のマッチング関係を有する。例えば、数字から構成された電話番号またはＵＲＬのコンテンツ数字列は、コンテンツを識別することができる。コンテンツ数字列が登録されることで、使用者はコンテンツ数字例を検索することで希望のコンテンツにすぐアクセスすることが可能である。この場合、前記コンテンツ数字列は、既に個人別に特定化している個人別電話番号であることが望ましいが、必ずしもこれに限定されることではない。
【００４３】
情報流通サーバ２は、コンテンツの同時多発的な流通を支援するために、使用者の多様な連絡住所の登録を受ける。連絡住所は、本発明が提供するコンテンツに含まれる連絡チャンネル住所である。連絡住所がモバイル電話番号であると仮定すれば、通話及び文字によって使用者間の疎通が支援され得る。情報流通サーバ２は、連絡住所が媒介体になり、その連絡住所が許容する多様な通信方式に従属されてコンテンツの伝達を仲介する。
【００４４】
また、情報流通サーバ２は、情報の即時疎通を支援するために、連絡住所の使用者が即時情報疎通が可能な住所を選択できるようにする。例えば、第１使用者（コンテンツを登録した登録使用者）が、電話、文字メッセージ受信が不可能な状況では、電子メール、ＳＮＳの住所などを即時疎通可能な連絡チャンネルの住所として情報流通サーバ２に指定することができる。第１使用者のコンテンツを検索した第２使用者（第１使用者のコンテンツを検索する検索使用者）が第１使用者に連絡を取ろうとするとき、情報流通サーバ２は、第１使用者が即時疎通可能な連絡チャンネルとして指定した前記電子メール、ＳＮＳの住所などを優先的に第２使用者に案内する。そうすれば、第２使用者は、第１使用者との即時疎通のために優先的に案内された第１使用者の連絡住所を選択してメッセージを伝送する。即ち、第１使用者は、必要に応じて即時コミュニケーションが可能な連絡チャンネルの順番を指定する。
【００４５】
前記スマート端末３は、アプリケーション３００をダウンロードして設置して実行する。アプリケーション３００の実行の可能なスマートフォン、スマートパッド、ＩＰ  ＴＶ、スマートＴＶなどは、スマート端末３といえる。勿論、デスクトップ及びノートブックＰＣなどのようなコンピューター端末も、アプリケーション３００の実行が可能であることから、スマート端末３の範疇に含まれる。例えば、スマート端末３がコンピューター端末であると仮定すれば、コンピューター端末に設置されたアプリケーション３００が実行され、情報流通サーバ２から情報流通サービスの提供を受けることができる。アプリケーション３００は、ウェブブラウザーとして製作されるか、ウェブブラウザーの機能を有し得る。勿論、情報流通サーバ２は、アプリケーション３００に情報流通サービスの提供のために、ウェッブサーバ及びホームページが構築されても差し替えない。
【００４６】
図２は、図１の情報流通サーバ２を概略的に示した内部構造図である。
【００４７】
本発明の一実施例による情報流通サーバ２は、登録されたテーマ数字列を管理するテーマ数字列登録部２１と、各々のコンテンツの登録を受けるコンテンツ登録部２２と、登録されたコンテンツの情報流通サービスと、使用者間の情報疎通を仲介する情報流通管理部２３と、を含んで構成される。
【００４８】
代案的に、前記情報流通サーバ２は、使用者位置管理部２４と、接続仲介課金部２５と、接続仲介補償部２６と、を選択的にさらに含んで構成され得る。
【００４９】
前記テーマ数字列登録部２１は、情報の分類及び接近のための識別子となるテーマ数字列について、数字列ＤＢ２１０を用いて、登録、照会、修正、削除の管理を行う。テーマ数字列は、コンテンツのメインテーマ、カテゴリーを識別する共通情報であって、数字列ＤＢ２１０のアクセスキーとなる。使用者は、テーマ数字列からメインテーマ及びカテゴリーを認知する。テーマ数字列は、情報流通サーバ２の運営者が登録するか、使用者の申込みによって登録され得る。テーマ数字列登録部２１は、スマート端末３で実行されたアプリケーション３００からテーマ数字列及びテーマ数字列のテーマに係わる内容を説明する説明情報の登録を受けて数字列ＤＢ２１０に保存する。使用者は、テーマ数字列の説明情報を認知してからテーマ数字列を意味的により親しく用いることができる。
【００５０】
ここで、テーマ数字列が数字列ＤＢ２１０に登録されれば、使用者は、アプリケーション３００を通じて情報提供者になって、テーマ数字列を親ノードにし、下位に数字列及びコンテンツの情報のうち少なくとも一つ以上の情報を登録することができる。また、使用者は、アプリケーション３００を通じて情報消費者になってテーマ数字列を入力した後、テーマ数字列の子ノードとなる各々の情報にすぐ接近することができる。
【００５１】
前記コンテンツ登録部２２は、アプリケーション３００から使用者が流通しようとする情報をコンテンツとして登録を受け、コンテンツＤＢ２２０に保存する。コンテンツは、コンテンツ数字列を含み、コンテンツの地域、キーワード、タイトル、内容、使用者の連絡住所のうち少なくとも一つ以上を含む。コンテンツ登録部２２は、特定のフォーマットに従属せず多様なフォーマットのマルチメディアコンテンツの登録を受ける。例えば、コンテンツ登録部２２は、マルチメディアデータをコンテンツとして登録を受けるか、特定のＵＩフォーマットを有するコンテンツの登録を受け得る。コンテンツ数字列は、登録されたコンテンツの識別子及び接近のための一種の数字列キーとなる。コンテンツ数字列が電話番号（例：電話番号数字列）のＵＲＬである場合として仮定すれば、電話番号ＵＲＬは、コンテンツの提供を受けるサービス特番であって、使用者と通話連絡される電話番号であり、使用者のウェブページへリンクされるインターネットアドレスである。即ち、サービス特番は、第２使用者が第１使用者のコンテンツにアクセスし、アクセスされたコンテンツを媒介として第１使用者とコンタクトする数字列である。
【００５２】
望ましくは、コンテンツ登録部２２は、アプリケーション３００から使用者によって定義されたテーマ数字列の設定を受け、コンテンツの登録を受ける。コンテンツ登録部２２は、設定されたテーマ数字例とコンテンツとをマッチしてコンテンツＤＢ２２０に保存する。そうすれば、登録されたコンテンツは、前記テーマ数字列によって分類される。勿論、コンテンツ登録部２２は、サービス政策によって、テーマ数字列及びコンテンツ数字列のうち少なくとも一つ以上の数字列及び対応のコンテンツをコンテンツＤＢ２２０に登録してもよい。
【００５３】
ここで、コンテンツ登録部２２は、アプリケーション３００から前記連絡住所の情報として、電話番号、電子メールアドレス、インターネットアドレス及びＳＮＳ（Ｓｏｃｉａｌ  Ｎｅｔｗｏｒｋ  Ｓｅｒｖｉｃｅ）アドレスなどの通信チャンネル情報を含むコンテンツの登録を受けることができる。そうすれば、第２使用者は、アプリケーション３００を用いて第１使用者のコンテンツを照会し、問合せ、購買、同意、応答などの多様な内容の疎通のために、第１使用者の特定通信チャンネルを選択してリアルタイムで第１使用者に連絡を取ることができる。
【００５４】
延いては、コンテンツ登録部２２は、アプリケーション３００から情報の即時伝達及び疎通の成功のために使用者の複数個の電話番号（例：モバイル番号、事業場番号、自宅電話番号など）を含むコンテンツの登録を受け、各々の電話番号に対して通話連結順位の登録を受けることができる。そうすれば、コンテンツを照会した使用者のアプリケーション３００が、第１順位の電話番号の通話連結を要請し、通話連結が失敗されれば、第２順位の電話番号で通話連結を要請することができる。したがって、情報の即時伝達性及び疎通の成功率を保障することができる。
【００５５】
さらに延いては、コンテンツ登録部２２は、コンテンツを登録した第１使用者のアプリケーション３００から登録された複数個の連絡住所のうち使用者の通信状況によって現在即時疏通できる連絡住所の登録を受けることができる。そうすれば、第１使用者に連絡を取ろうとする第２使用者のアプリケーション３００は、第１使用者によって登録された即時疎通の連絡住所が優先的に提供されることで、使用者の即時疎通が支援される。
【００５６】
また、コンテンツ登録部２２は、コンテンツを登録した第１使用者のアプリケーション３００から前記コンテンツに係わる少なくとも一つ以上の他のコンテンツをリレーコンテンツとしてさらに登録を受けることができる。勿論、リレーイコンテンツは、第１使用者または第２使用者によって登録されたコンテンツである。もし、使用者Ａのリレーコンテンツにおいて情報流通サーバ２の仲介によって使用者間の疎通イベントが発生すれば、リレーコンテンツの親ノードとなるコンテンツを登録した第１使用者は、情報流通サーバ２及び使用者Ａによって所定の補償を受けることができる。
【００５７】
前記において、テーマ数字列登録部２１及びコンテンツ登録部２２によって登録された数字列は、情報流通サーバ２が大衆を相手にして配布する。前記配布は、オンライン媒体またはオフライン媒体が伴われ得、媒体は、新聞、放送、ウェブページなど、制限されない。情報流通サーバ２が媒体によって使用者に数字列を配布し、配布された数字列が大衆に露出して広く伝えられる場合、数字列に露出した使用者は、アプリケーション３００を実行して数字列を検索し、コンテンツの検索結果を受ける。ここで、媒体によるコンテンツの伝達は、時間、資源、費用などの制約を受ける。しかし、情報流通サーバ２は、コンテンツの数字列に限って媒体によって伝達するため、前記制約を除去することができる。即ち、媒体によってコンテンツの数字列を伝達し、情報流通サーバ２は、伝達された数字列に基づいてコンテンツを伝達するのである。
【００５８】
前記情報流通管理部２３は、テーマ数字列及びコンテンツ数字列に基づいてコンテンツＤＢ２２０に保存されたコンテンツの情報流通の処理を提供する。
【００５９】
ここで、情報流通管理部２３は、アプリケーション３００から前記テーマ数字列または前記コンテンツ数字列を含み、地域及びキーワードのうち少なくとも一つ以上をさらに含む情報をアクセスキーとして伝送を受け、検索要請を受けることができる。そうすれば、情報流通管理部２３は、要請されたアクセスキーでコンテンツＤＢ２２０について検索を行い、検索されたコンテンツのリストを検索結果としてアプリケーション３００に応答する。
【００６０】
例えば、情報を検索する使用者の場合、アプリケーション３００を通じてテーマ数字列を入力すれば、情報流通管理部２３によって検索されたテーマ数字列にマッチされた各々のコンテンツにすぐ接近することができる。使用者は、テーマ数字列をもって特定意味または主題に係わるコンテンツにすぐ接近することができる。もし、検索語が「今日一日５０％割引をする市役所周辺のおいしい店」であると仮定すれば、キーワードが「今日」、「５０％」、「一日」、「市役所」「おいしい店」などの５個の組合せを使用者が入力しなければならないという不具合があるが、本発明は、検索語にマッチされたテーマ数字列（例：５０５０）を通じてテーマ数字列にマッチされたコンテンツに即時接近することができる。ここで、使用者がテーマ数字列に、地域、キーワードなどをさらに入力して検索すれば、検索範囲がさらに限定され、使用者は希望する情報に適時性を有して接近する。そうすれば、全世界で、使用者がテーマ数字列「５０５０」を入力して検索を要請すれば、情報流通サービスを提供する国家でテーマの「今日一日５０％割引をする市役所周辺のおいしい店」とマッチされるコンテンツが使用者のアプリケーション３００に提供される。勿論、使用者は、コンテンツ数字列によって識別されるいずれか一つのコンテンツにすぐ接近することも可能である。
【００６１】
ひいては、情報流通管理部２３は、アプリケーション３００からテーマ数字列についてリアルタイムで登録されたコンテンツの照会要請の伝送を受けることができる。そうすれば、情報流通管理部２３は、テーマ数字列をアクセスキーにしてコンテンツＤＢ２２０の検索を行い、登録時間順に整列されたコンテンツのリストを検索結果としてアプリケーション３００に応答する。
【００６２】
また、情報流通管理部２３は、アプリケーション３００から前記コンテンツリストを通じて個別コンテンツの照会要請を受ければ、要請されたコンテンツについて登録されたコンテンツ数字列を含み、地域、キーワード、タイトル、内容及び使用者の連絡住所のうち少なくとも一つ以上をさらに含むコンテンツをコンテンツＤＢ２２０から照会してアプリケーション３００に応答することができる。例えば、コンテンツがマルチメディアデータであれば、アプリケーション３００は、応答を受けたコンテンツを即時再生する。
【００６３】
前記使用者の位置管理部２４は、第１使用者のアプリケーション３００からコンテンツの登録過程でコンテンツに係わって位置識別機能を有する前記スマート端末３に対する位置公開可否について登録を受けることができる。第１使用者が位置公開を許容すれば、使用者位置管理部２４は、第１使用者のアプリケーション３００からスマート端末３の位置を周期的データとしてリアルタイムで受信する。そして、使用者位置管理部２４は、第１使用者のコンテンツが照会される第２使用者のアプリケーション３００に第１使用者位置情報を提供する。第２使用者アプリケーション３００は、画面の地図を用いて第１使用者の位置情報を表示する。勿論、前記地図において第１使用者の設定によって第１使用者の事業場の位置がさらに示されてもよい。延いては、前記地図において、第２使用者の現在位置及び第１使用者の現在位置について経路案内サービスが提供されることも可能である。
【００６４】
前記接続仲介課金部２５は、前記コンテンツの情報を受信したアプリケーション３００から前記連絡住所の選択を受けて接続要請を受け、前記連絡住所に通信接続を仲介する。通信接続の仲介によって、アプリケーション３００では、通話発信、文字メッセージ発信またはＵＲＬリンクなどのイベントが発生する。勿論、アプリケーション３００は、発生したイベントの機能を直接実行するか、またはスマート端末３に設けられた該当機能のアプリケーションを実行することができる。例えば、通話発信及び文字メッセージ発信の場合、アプリケーション３００のイベント発生によってスマート端末３に設置された通話アプリケーション及び文字アプリケーションが各々実行され得る。
【００６５】
そうすれば、接続仲介課金部２５は、接続を要請した使用者に接続仲介費用を課金する。費用課金は、前払いで決済されていた金額から差引きするか、後払いとして請求され得る。電話番号の場合、通話連結が失敗する度に前記の通話連結順位に当たる電話番号に自動代替されて電話連結が行われ得る。
【００６６】
前記接続仲介補償部２６は、第２使用者がアプリケーション３００を用いて第１使用者に連絡を行ったイベントが発生し、イベントの発生が情報流通サーバ２の仲介によって処理されれば、補償処理を行う。
【００６７】
ここで、第２使用者は、第１コンテンツを訪問する前に、第１コンテンツがリレーコンテンツとして登録された上位コンテンツを介して訪問するか、またはテーマ数字列を用いて照会したリストから、第１コンテンツをクリックして訪問することができる。接続仲介補償部２６は、第２使用者の第１コンテンツの訪問経路の履歴を追跡し、その訪問履歴の上位履歴となるコンテンツを登録した使用者、またはテーマ数字列を登録した使用者に補償する。補償政策に従って履歴に含まれた上位の使用者は一人以上であり得る。
【００６８】
例えば、アプリケーション３００が表示した第２コンテンツにて使用者の連絡イベントが発生し、第２コンテンツがリレーコンテンツとしてリンクされた上位の第１コンテンツを介して使用者が訪問した場合、接続仲介補償部２６は、第２コンテンツがリンクされた上位の第１コンテンツを登録した使用者に所定の費用を補償することができる。また、使用者がアプリケーション３００を通じてテーマ数字列を照会したコンテンツリストから第２コンテンツのタイトルをクリックして第２コンテンツを訪問した場合、接続仲介補償部２６は、テーマ数字列を登録した使用者に所定の費用を補償し得る。
【００６９】
一方、登録されたコンテンツによって多様な使用者疎通の仲介が発生し得る。使用者疎通の前記仲介の例を挙げれば、情報流通管理部２３の検索サービス、接続仲介課金部２５の接続仲介サービス、コンテンツを媒介とした決済サービスなどの多様な使用者疎通のサービスを情報流通サーバ２が使用者に提供する。このような場合、サービスが発生したコンテンツを登録した使用者Ａは、前記コンテンツがマッチされたテーマ数字列を生成して管理する使用者Ｂに所定の手数料を支払うことができる。即ち、使用者Ｂは、使用者Ａのコンテンツで発生する疎通によって使用者Ａから所定の手数料に当たる補償を受ける。使用者Ａのコンテンツを通じて決済が発生する場合、決済仲介社は、発生した決済金額から、使用者Ｂの手数料、サービス利用料などを含む所定の金額を差し引いた残りの金額を使用者Ａに精算することができる。勿論、決済仲介社は、情報流通サーバ２であり得る。
【００７０】
図３は、図１の情報流通サーバ２が管理するテーマ数字列を概略的に示した例示図である。
【００７１】
テーマ数字列の数字列フォーマット及び説明情報の内容は特に制限されない。情報の主題が社会倫理に違反しなければ、各々の情報の主題を代表するテーマ数字列のキーにマッピングされる説明情報が情報流通サーバ２の数字列ＤＢ２１０に登録され得る。各々の説明情報は、固有な内容を有し、説明情報とテーマ数字列とが１：１にマッチされる。使用者が一つのテーマ数字列を入力して照会を要請することは、固有な内容を有して収集された複数個のコンテンツにすぐ接続することとなる。
【００７２】
例示の１１４電話案内の場合、テーマ数字列が「１１４」として数字列ＤＢ２１０に登録された後、テーマ数字列の子ノードとして各々の電話番号の情報が各々のコンテンツとしてコンテンツＤＢ２２０に登録され得る。
【００７３】
テーマ数字列「６４」に対しては、地方選挙に係わる個別候補者の情報及び有権者の情報が登録され、選挙に係わるオンラインコミュニティのコンテンツ情報がコンテンツＤＢ２２０に登録され得る。
【００７４】
また、テーマ数字列「５０５０」に対しては、５０％割引と係わる各種商品情報、販売者情報、購買者情報などが各々のコンテンツとしてコンテンツＤＢ２２０に登録され得る。
【００７５】
他にも、各種祭り、行事、会合などのような行事情報がテーマ数字列として登録されてもよく、情報の内容及び種類は特に制限されない。例えば、花火祭りのテーマ数字列が登録された場合、そのテーマ数字列を親ノードにして、行事日程、交通情報、周辺のレストランなどの説明情報と関連性を有すれば、制限なくコンテンツを登録することができる。勿論、コンテンツは、固有の識別キーとしてコンテンツ数字列を有し得る。
【００７６】
また、一般の使用者も、各自の関心事によって代表数字列を有料または無料で申し込んで情報流通サーバ２にテーマ数字列を登録することができる。勿論、テーマ数字列を登録した使用者は、他の使用者のコンテンツ登録を許容または不許し得る。例えば、使用者は、ショッピングモールのような取引マーケットの運営のために代表数字列を申し込み、ショッピングモールの代表数字列にマッチされる商品コンテンツを登録することができる。そして、商品コンテンツの登録に対し、他の使用者の登録可否を条件などとして制限して予め設定することができる。
【００７７】
図４〜図７は、アプリケーション３００が表示するコンテンツ照会画面を概略的に示した例示図である。以下では、説明の便宜上、使用者が図３のテーマ数字列「６４」を用いて照会し、固有のＵＩを有すると仮定する。
【００７８】
図４を参照すれば、アプリケーション３００の画面において、第２使用者は、地域１０１、キーワード１０２及びテーマ／コンテンツ数字列１０３の各々の入力窓に検索情報をアクセスキーとして入力することができる。地域の入力窓１０１の場合、第２使用者は、スマート端末３の現在位置を選択するか、または特定の地域を選択して検索範囲を設定することができる。キーワード１０２には、コンテンツを登録した第１使用者のコンテンツのキーワードについての第２使用者の入力情報が入力される。テーマ／コンテンツ数字列１０３には、第２使用者に露出したテーマ数字列またはコンテンツ数字列がサービス特番として入力される。また、第２使用者は、数字列の検索画面に用いて検索された数字列をテーマ／コンテンツ数字列１０３に入力することができる。一方、リアルタイム情報１０５は、第２使用者が検索を用いず現在まで登録されたコンテンツを登録時間順に照会を要請するときに選択される。
【００７９】
第２使用者がサービス特番として図３のテーマ数字列「６４」及びモバイル電話番号であるコンテンツ数字列「０１０６７４２８１４２」を知っているので、「６４／０１０６７４２８１４２」を入力して検索ボタン１０４を押し得る。
【００８０】
参考までに、図４の画面は、入力窓１０１〜１０３の代りに、数字列入力窓１０３一つのみから構成され得る。第２使用者は、数字列入力窓１０３に数字列を入力し、情報流通サーバ２は、数字列入力窓１０３に入力された数字列にマッチされたコンテンツをコンテンツＤＢ２２０から照会することが可能である。コンテンツがマルチメディアコンテンツであれば、アプリケーション３００は、コンテンツの伝送を受けて再生する。コンテンツが固有のＵＩを有するコンテンツであれば、アプリケーション３００は、前記ＵＩを通じてコンテンツを表示する。
【００８１】
図５を参照すれば、アプリケーション３００は、情報流通サーバ２からテーマ数字列「６４」を検索キーにして検索されたコンテンツのリストを受信して画面に表示する。テーマ数字列の露出及び伝播のために、コンテンツのリストに含まれた各々のコンテンツは、テーマ数字列「６４」とともに表示される。検索結果として提供されたコンテンツリストにおいて、テーマ数字列「６４」は持続・反復的に使用者に露出する。第２使用者がリストの画面で上下にスクロールしながらコンテンツのタイトル及び内容のような説明の一部を照会すれば、テーマ数字列「６４」の説明情報を直観的に理解するようになる。第２使用者が特定のコンテンツ１１１をクリックすれば、アプリケーション３００は、クリックされたコンテンツの詳細照会を情報流通サーバ２に要請する。
【００８２】
図６及び図７を参照すれば、アプリケーション３００は、情報流通サーバ２から第２使用者によって図５でクリックされたコンテンツ１１１を受信して画面に表示する。第２使用者は、コンテンツ画面で上下にスクロールしながら情報を確認する。位置表示１２１が選択されれば、当該コンテンツを登録した第１使用者の位置情報または事業場情報、そしてリアルタイムで登録されたコンテンツのタイトル（要旨）が地図上に表示される。動画像アイコン１２２が選択されれば、コンテンツ関連の動画像が再生される。動画像の再生は、専用プレーヤーの実行によって再生されるか、または動画像の住所にリンクされて再生され得る。第２使用者は、前記連絡住所として携帯電話１２４またはモバイルページ１２５を選択して第１使用者に連絡を行うことができる。第２使用者がモバイルページ１２５を選択すれば、第１使用者のＵＲＬにリンクされて第１使用者のウェブページを訪問する。第２使用者は、後記作成１２６を選択してコンテンツについてのコメントを登録することができる。そして、コンテンツには、第１使用者が設定したリレーコンテンツ１２７が並べられる。勿論、リレーコンテンツ１２７のリストにおいて、各々のコンテンツは数字列とともに表示され、表示された数字列はいつも使用者に露出する。第２使用者がリレーコンテンツ１２７を選択した後、リレーコンテンツ１２７への接近を行えば、リレーコンテンツを照会した第２使用者には課金が賦課され、賦課された第２使用者の課金の一部は、第１使用者に補償として提供され得る。
【００８３】
特に、情報流通サーバ２がコンテンツ１１１のコンテンツ数字列が第１使用者の電話番号であり、第１使用者の電話番号がコンテンツ１１１の携帯電話１２４の電話番号及びモバイルページ１２５のＵＲＬと同一である場合、情報をアクセスする便宜性は極大化する。情報に接近する第２使用者の接近の便宜性を極大化するために、第１使用者は、自分の電話番号をコンテンツ数字列及び連絡チャンネル住所として登録することが望ましい。そうすれば、第２使用者は、第１使用者の電話番号を用いてコンテンツ１１１の照会、携帯電話１２４への通話及びモバイルページ１２５への訪問などの多様な接近経路の機会提供を受ける。
【００８４】
図８〜図１３は、図１のアプリケーション３００が表示するコンテンツ登録画面を概略的に示した例示図である。参考までに、図８〜図１３は、コンテンツを登録する第１使用者が下方にスクロール移動しながら表示されるＵＩである。
【００８５】
図８を参照すれば、図８のキーワード１０２は、第１使用者がコンテンツのアクセスキーとして登録する情報であって、図４のキーワード１０２と対応する。テーマ数字列１０３は、コンテンツが属する上位の親ノードであって、第  １使用者の入力または選択される情報である。コンテンツ数字列１３１は、コンテンツのサービス特番及びアクセスキーの情報である。図８のテーマ数字列１０３及びコンテンツ数字列１３１は、図４のテーマ／コンテンツ数字列１０３に対応する。
【００８６】
本発明の実施例において、テーマ数字列は、コンテンツのアクセス及び分類のためのチャンネル、住所及びキーの情報であって、必ず第１使用者の登録が求められる。一方、コンテンツ数字列、キーワード及び地域は、第１使用者の登録及び画面表示が省略され得る。
【００８７】
図９を参照すれば、電話番号１２４は、第１使用者がコンテンツによって連絡される電話番号である。第１使用者は、複数の電話番号を登録することができる。ここで、前記通話順位設定に基づいて、第１使用者に上位順位の通話連結が失敗すれば、下位順位の電話番号を用いて第１使用者に通話連結が行われる。図９の電話番号１２４は、図７の電話番号１２４と対応する。
【００８８】
図１０を参照すれば、図１０の地域１０１は、第１使用者がコンテンツに係わって選択的に入力する情報であって、図４の地域１０１と対応し得る。タイトル１３２及び詳細内容１３３は、コンテンツについて登録される情報であって、図５のリストに表示されるコンテンツ１１１と対応する。
【００８９】
図１１を参照すれば、図１１のモバイルページ１２５及びＵＲＬ１２５は、コンテンツにリンクされるインターネットＵＲＬであって、図７のモバイルぺージ１２５と対応する。図１１の電子メール１３４は、図７に示される電子メール（図示せず）と対応する。図１１の動画像ＵＲＬ１２２は、コンテンツに係わる動画像であって、図７の動画像１２２に対応する。
【００９０】
図１２を参照すれば、図１２の現在位置１２１は、第１使用者のモバイル端末の位置情報を収集するのに同意する情報であって、図７の位置表示１２１に対応する。
図１３を参照すれば、図１３のリレー情報１２７は、当該コンテンツに係わるコンテンツの情報であって、図７のリレーコンテンツ１２７に対応する。図１３の決済１３５は、第１使用者の前記連絡住所に対して情報流通サーバ２が仲介サービスを提供することについての課金の決済処理のためのものである。
【００９１】
図１４は、本発明の他の実施例によるＴＶ端末２０１の画面の例示図である。参照までに、数字列とマッチされたコンテンツの情報をＴＶ端末２０１に提供するために多様な画面のＵＩがあり得、図１４に示されたＵＩにＴＶ端末２０１の画面構成が限定されることではない。
【００９２】
本発明の他の実施例の情報流通システム１は、ＴＶ端末２０１となるスマート端末３を含む。ＴＶ端末２０１は、ＩＰ  ＴＶ及びスマートＴＶなどのようにＴＶ放送の受信及び出力が可能な端末である。スマートフォン及びスマートパッドなどの場合、アプリケーション３００によってＴＶ機能を保有できることから、ＴＶ端末２０１であるといえる。ＴＶ端末２０１に電源がつけば、アプリケーション３００が実行され、アプリケーション３００はリアルタイムで受信されるＴＶ放送を画面に出力する。
【００９３】
望ましくは、ＴＶ端末２０１においてアプリケーション３００の実行によって出力される画面は、ＴＶ放送プログラムがリアルタイムで出力されるＴＶ領域２０２、数字列の情報が出力される数字列領域２０３、イベント及び広告の数字列が出力される広告数字列領域２０４、コンテンツの地域が入力される地域窓２０５、コンテンツの数字列が入力される数字列窓２０６、コンテンツの情報が出力されるコンテンツ領域２０７及び数字列の動画像広告情報が出力される数字列広告領域２０８を含む。
【００９４】
前記ＴＶ領域２０２において、ＴＶ端末２０１のアプリケーション３００は、  ＴＶ放送の情報をリアルタイムで出力する。
【００９５】
前記数字列領域２０３において、アプリケーション３００は、少なくとも一つ以上の数字列を表示する。数字列領域２０３に表示される数字列は、使用者が予め指定した少なくとも一つ以上の数字列及びＴＶ放送のプログラムと係わる数字列である。例えば、使用者が好むレストラン、野球などのテーマ数字列を予めアプリケーション３００に登録すれば、アプリケーション３００は、数字列領域２０３に使用者によって登録された数字列を表示する。また、ＴＶ領域２０２に出力される放送社、プログラム情報、内容などに係わる数字列が数字列領域２０３にリアルタイムで表示されてもよい。
【００９６】
前記広告数字列領域２０４において、アプリケーション３００は、イベント及び広告が要請された少なくとも一つ以上の数字列を表示する。テーマ数字列を保有した事業者は、情報流通サーバ２にテーマ数字列の広告を申し込むことができる。広告が申し込まれたテーマ数字列は、アプリケーション３００によってリアルタイムで受信されて広告数字列領域２０４に表示される。一方、広告数字列領域２０４においては、テーマ数字列に対応するキーワードがさらに表示されてもよい。
【００９７】
ここで、数字列領域２０３及び広告数字列領域２０４で表示される数字列は、スクロールまたはローリング方式で数字列が表示され得る。また、数字列領域２０３及び広告数字列領域２０４では、テーマ数字列に対応するキーワードがさらに表示されてもよい。数字列領域２０３または広告数字列領域２０４においていずれか一つのテーマ数字列またはキーワードが選択されれば、アプリケーション３００は、選択された情報に対応するコンテンツの提供要請を情報流通サーバ２に伝送する。
【００９８】
前記地域窓２０５において、アプリケーション３００は、使用者から好む地域の選択を受け、テーマ数字列及び地域をアクセスキーにしてコンテンツの検索を情報流通サーバ２に要請する。使用者は、地域を選択することでコンテンツの検索範囲を選択された地域に制限することができる。地域窓２０５のデフォルト地域値は「全体」に指定されている。
【００９９】
前記数字列窓２０６において、アプリケーション３００は、使用者に数字列の登録、修正、削除及び検索などの数字列管理サービスを提供する。使用者は、数字列窓２０６に数字列及びキーワードを入力して希望する数字列を検索することができる。アプリケーション３００は、数字列窓２０６に入力された数字列及びキーワードを情報流通サーバ２に伝送して数字列検索を要請し、情報流通サーバ２から検索結果の数字列情報を受信して画面に出力する。また、アプリケーション３００は、数字列窓２０６に入力された数字列を情報流通サーバ２に伝送してコンテンツ検索を要請する。
【０１００】
前記コンテンツ領域２０７において、アプリケーション３００は、数字列領域２０３、広告数字列領域２０４、地域窓２０５及び数字列窓２０６で使用者によって要請された情報を情報流通サーバ２に伝送して数字列にマッチされたコンテンツのリストを要請し、情報流通サーバ２からコンテンツリストを受信し、受信されたリストをコンテンツ領域２０７にスクロール方式で表示する。もし、コンテンツリストのコンテンツ数が一つであれば、リストの表示とともにコンテンツが実行されてもよい。
【０１０１】
使用者がアプリケーション３００の数字列領域２０３、広告数字列領域２０４または数字列窓２０６で数字列またはキーワードでコンテンツの提供を要請すれば、情報流通サーバ２から選択された数字列またはキーワードとマッチされるコンテンツのリストが受信され、受信されたコンテンツのリストがコンテンツ領域２０７に表示される。
【０１０２】
また、コンテンツ領域２０７から特定コンテンツが選択されれば、アプリケーション３００は、選択されたコンテンツの提供を情報流通サーバ２に要請し、情報流通サーバ２から受信されたコンテンツが該当のコンテンツ領域で再生される。勿論、再生されるコンテンツは、ＴＶ端末２０１のフルスクリーンに出力され得る。フルスクリーンに出力されるコンテンツのＵＩ、レイアウトなどは多様であり得、図６及び図７のＵＩを有するコンテンツであってもよい。
【０１０３】
例えば、事業者Ａが自分の商品情報をスマートフォンで撮影し、スマートフォンのアプリケーション３００を用いてテーマ数字列とともにイメージまたは動画像情報を情報流通サーバ２にアップロードする。その後、ＴＶ視聴者がＴＶ端末２０１の視聴中に数字列領域２０３から事業者Ａのコンテンツが登録されたテーマ数字列を選択し、コンテンツ領域２０７から事業者Ａのコンテンツを選択する。そうすれば、ＴＶ視聴者は、アプリケーション３００によって受信及び再生される事業者Ａのコンテンツを画面を通じて視聴する。
【０１０４】
他の例として、使用者Ｂは、ＴＶ視聴中に数字列窓２０６を用いて使用者Ｂのみが専用で使用する秘密数字列の生成を要請し、秘密数字列の提供を受ける。使用者Ｂは、スマートフォンで動画像を撮影し、秘密数字列と動画像を情報流通サーバ２にアップロードする。使用者Ｂは、秘密数字列を友達に知らせる。以後、友達は、ＴＶ端末２０１の数字列窓２０６に秘密数字列を入力し、コンテンツ領域２０７に表示されたリストから使用者Ｂの動画像の再生を要請すれば、情報流通サーバ２から受信される使用者Ｂの動画像が画面を通じて出力される。勿論、動画像の再生権限を友達のみが有するように使用者Ｂは動画像のアップロード時に再生パスワードを設定し得る。
【０１０５】
前記広告領域２０８でにおいて、アプリケーション３００は、動画像として登録されたテーマ数字列またはコンテンツの広告を出力する。使用者が広告領域２０８の広告を選択すれば、選択された広告がＴＶのフルスクリーンに出力され得る。また、広告の実行によってアプリケーション３００は、テーマ数字列のリストを受信して表示するか、コンテンツを受信して表示し得る。
【０１０６】
＜２．方法構成＞
本発明の一実施例による情報流通方法は、前述の情報流通システム１の構築によって望ましく実現することができる。
【０１０７】
図１５は、本発明の一実施例による情報流通方法を概略的に示したフローチャートである。
【０１０８】
情報流通サーバ２は、管理者または使用者の要請に応じてサービス特番のテーマ数字列の登録を受け、数字列ＤＢ２１０に保存する（Ｓ２０１）。テーマ数字列は、情報の分類及びアクセスのための一種のチャンネルまたはキーの情報であって、そのテーマ内容は特に制限されない。例えば、一文章、主題または説明とマッチされるアクセス情報としてテーマ数字列が用いられる。登録されたテーマ数字列によって、情報流通サーバ２は、登録されたテーマ数字列にマッチされる多様な種類のコンテンツの登録を受ける。
【０１０９】
情報流通サーバ２は、アプリケーション３００からコンテンツ数字列の入力を受け、コンテンツ数字列によって固有に識別されるコンテンツ情報の登録を受けてコンテンツＤＢ２２０に保存する（Ｓ２０２）。勿論、コンテンツ数字列が省略される場合、テーマ数字列とコンテンツ情報とがマッチされてコンテンツＤＢ２２０に保存されてもよい。コンテンツ数字列は、個別コンテンツのサービス特番となる。即ち、コンテンツ数字列によって個別コンテンツが照会され得る。コンテンツ数字列が使用者の電話番号であると仮定すれば、使用者の電話番号がサービス特番（キー）、電話番号、インターネットＵＲＬなどとして用いられ得る。
【０１１０】
ここで、情報流通サーバ２は、コンテンツの連絡住所の登録を受ける（Ｓ２０３）。前記連絡住所は、使用者の電話番号、電子メールアドレス、インターネットアドレス及びＳＮＳアドレスなどとなる。
【０１１１】
延いては、情報流通サーバ２は、複数個の電話番号の登録を受けることができ、各々の電話番号に対して通話連結順位の登録を受ける（Ｓ２０４）。通話連結順位が登録された場合、上位順位の電話番号の通話連結が失敗すれば、次順位の電話番号を用いて自動連結が行われる。したがって、情報疎通の適時性及び成功率が保障される。
【０１１２】
さらに、情報流通サーバ２は、コンテンツに対して使用者の設定によって即時通信可能な連絡住所の登録を受けることができる（Ｓ２０５）。使用者の事情によって、会議中、食事中である場合、好む連絡住所を予め設定することができる。そうすれば、使用者に連絡を取ろうとする他の使用者は、使用者が好む連絡住所を選択して連絡する。したがって、情報疎通の適時性は勿論、便利性も確保することができる。
【０１１３】
望ましくは、情報流通サーバ２は、コンテンツに対し、係わるコンテンツをリレーコンテンツとして登録を受けることができる（Ｓ２０６）。リレーコンテンツの登録によって情報の伝達機会はさらに拡張できる。また、コンテンツＡが人気及び信頼度を有する場合、コンテンツＡのリレーコンテンツにも対応する人気及び信頼度が伴われ得る。
【０１１４】
続いて、情報流通サーバ２は、コンテンツを登録した使用者Ａのモバイルフォンの位置表示の公開可否の設定を受ける（Ｓ２０７）。使用者Ａの現在位置がコンテンツを照会する他の使用者に公開されれば、使用者Ａは、他の使用者に親しみ及び信頼感を与えることができる。知人や親しい人によって代表数字列が共有され、コンテンツが登録される場合、使用者Ａの位置情報公開は有用なサービスとなる。これによって、前記段階Ｓ２０２〜Ｓ２０７を経てコンテンツの登録手続きが処理される。
【０１１５】
その後、アプリケーション３００によって情報の検索要請が発生すれば、情報流通サーバ２は、数字列基盤の検索及び照会サービスをアプリケーション３００に提供する（Ｓ２０８）。使用者は、アプリケーション３００を通じてテーマ数字列の検索を要請し、検索されたテーマ数字列にマッチされる少なくとも一つ以上のコンテンツの照会を要請し、照会されたコンテンツの提供を受けることができる。使用者がテーマ数字列に対して地域またはキーワードをさらに選択して検索を要請すれば、地域の位置またはキーワードがマッチされるコンテンツに検索範囲を限定することができる。即ち、使用者はテーマ数字列の照会を要請して数字列が有する主題及び説明にマッチされる情報に即時アクセスすることが可能となる。検索サービスを通じて情報流通サーバ２は、検索されたコンテンツのリストをアプリケーション３００に提供する。そして、アプリケーション３００のリストから使用者が特定のコンテンツを選択して照会を要請すれば、情報流通サーバ２は、選択されたコンテンツの照会／再生サービスをアプリケーション３００に提供する。勿論、使用者は、コンテンツ数字列の検索を要請してマッチされる個別コンテンツの提供を受けることができる。
【０１１６】
コンテンツがアプリケーション３００に表示された以後、使用者が特定の連絡住所を選択して接続を要請すれば、情報流通サーバ２は、対応する通信方式に従って使用者間の通信接続を仲介する（Ｓ２０９）。情報流通サーバ２が提供する仲介サービスには、通話仲介、文字メッセージ仲介、電子メール仲介、ＵＲＬリンク接続仲介などが挙げられる。
【０１１７】
その後、情報流通サーバ２は、仲介サービスの提供に応じてコンテンツを登録した使用者に費用を課金する（Ｓ２１０）。
【０１１８】
また、情報流通サーバ２は、費用課金によって得られた収益に対し、仲介サービスの発生を誘発した上位コンテンツを登録した使用者または代表テーマ数字列を登録した使用者に補償する（Ｓ２１１）。
【０１１９】
上述の実施例において、「〜部」という用語は、情報流通サーバ２のハードウェア的区分を意味する用語として用いられたことではない。したがって、複数の構成部が一つの構成部に統合するか、または一つの構成部が複数の構成部に分割され得る。また、構成部は、ハードウェア構成部を意味することもあるが、ソフトウェアの構成部を意味することもある。したがって、本発明は、「〜部」という用語によって特に限定されない。
【０１２０】
本発明を限定された実施例と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【図１】
0006637174.tif 000002
【図２】
0006637174.tif 000003
【図３】
0006637174.tif 000004
【図４】
0006637174.tif 000005
【図５】
0006637174.tif 000006
【図６】
0006637174.tif 000007
【図７】
0006637174.tif 000008
【図８】
0006637174.tif 000009
【図９】
0006637174.tif 000010
【図１０】
0006637174.tif 000011
【図１１】
0006637174.tif 000012
【図１２】
0006637174.tif 000013
【図１３】
0006637174.tif 000014
【図１４】
0006637174.tif 000015
【図１５】
0006637174.tif 000016